(57)【要約】【課題】同じプリントを作成する場合にプリント用画像データを生成する処理時間を短縮化できる画像作成装置を提供する。【解決手段】プリント作成用に入力された原画像データと、原画像データに関して設定された補正パラメータとを用いてプリント用画像データを生成するプリント用画像データ生成手段２３と、設定された補正パラメータを保存しておく補正パラメータ保存手段５と、プリント用画像データを保存しておくプリント用画像データ保存手段２６と、プリント作成処理を指令するプリント処理指令手段１３と、この指令が同じ原画像データについての再度の指令である場合に、今回の指令における補正パラメータと、補正パラメータ保存手段に保存済みの補正パラメータとを比較するパラメータ比較手段１４と、この比較の結果、補正パラメータが同じであると判断された場合、プリント用画像データ保存手段に保存されているプリント用画像データを用いてプリント作成を行わせるプリント用画像データ指定手段１５とを備えている。【選択図】図１
2006157085.tif 000002
【特許請求の範囲】
【請求項１】
プリント作成用に入力された原画像データと、原画像データに関して設定された補正パラメータとを用いてプリント用画像データを生成するプリント用画像データ生成手段と、
設定された補正パラメータを保存しておく補正パラメータ保存手段と、
プリント用画像データを保存しておくプリント用画像データ保存手段と、
プリント作成処理を指令するプリント処理指令手段と、
この指令が同じ原画像データについての再度の指令である場合に、今回の指令における補正パラメータと、補正パラメータ保存手段に保存済みの補正パラメータとを比較するパラメータ比較手段と、
この比較の結果、補正パラメータが同じであると判断された場合、プリント用画像データ保存手段に保存されているプリント用画像データを用いてプリント作成を行わせるプリント用画像データ指定手段とを備えていることを特徴とする画像作成装置。
【請求項２】
プリント用画像データは、原画像データとテンプレートデータとの合成処理により生成されるものであり、補正パラメータには、合成処理を行うための第１補正パラメータが含まれることを特徴とする請求項１に記載の画像作成装置。
【請求項３】
補正パラメータには、原画像データに対して補正を行う第２補正パラメータが含まれ、この第２補正パラメータで原画像データに補正処理を行った補正画像データを保存する補正画像データ保存手段を備え、
前記比較手段により、第２補正パラメータのみ一致していると判断された場合、前記プリント処理実行手段は、保存済みの補正画像データを用いてプリント用画像データを生成することを特徴とする請求項２に記載の画像作成装置。
【発明の詳細な説明】
【技術分野】
【０００１】
本発明は、プリント作成用に入力された原画像データと、原画像データに関して設定された補正パラメータとを用いてプリント用画像データを生成し、プリントを作成できる画像作成装置に関するものである。
【背景技術】
【０００２】
写真店における写真プリント作成サービスの１例として、オリジナルの画像データ（説明の便宜上、これを原画像データと称することにする。）とテンプレートデータとを合成処理した写真プリントを提供するものが知られている（例えば、下記特許文献１）。かかる合成処理を行うプリントサービスとしては、年賀状プリント等のポストカード、カレンダープリント、婚礼写真等のフレームプリント、顔写真付の名刺プリントなどがある。
【０００３】
このような合成処理を行った写真プリントを作成する時の手順を簡単に説明する。まず、合成対象となる画像データを入力する。例えば、現像済みのネガフィルムに形成されたコマ画像をフィルムスキャナーで読み取ることで、画像データを入力することができる。あるいは、デジタルカメラに使用される記憶媒体に記録されている画像データから入力することができる。これら入力された画像データは、原画像データに相当する。
【０００４】
次に、この入力された画像データをモニター画面に表示させる。また、合成すべきテンプレートデータは予めテンプレートデータ保存手段に保存させておき、その中の適切な１つを選択し、両者を合成した合成画像をモニター画面に表示させる。オペレータは、この画面を見ながら、適切な写真プリントが作成できるように種々の設定（補正パラメータの設定）を行う。例えば、原画像データについては、色・濃度が適切な状態でプリントできるか否かを判断し、必要に応じて色・濃度の補正値を入力する。この入力した値は、補正パラメータ（第２補正パラメータ）に相当する。
【０００５】
また、テンプレートデータと合成する時の、原画像の大きさ（拡大率）の設定や、テンプレートに対する相対的な位置、文字を入れる場合は、その位置座標、フォントの種類、色とサイズなども設定する。これらの設定した値も補正パラメータ（第１補正パラメータ）に相当する。そして、すべての補正パラメータの設定が終了すると、モニター画面に表示されているプリントボタンをクリックすることで、写真プリントを作成することができる。プリントボタンによりプリント作成処理を指令すると、設定した補正パラメータと原画像データとを用いてプリント用画像データが生成される。すなわち、プリント用画像データは、補正パラメータを用いて原画像データに対して画像処理を行った結果得られるデータである。このプリント用画像データを例えば露光エンジンに転送することで、写真プリントを作成することができる。
【０００６】
テンプレートデータとの合成を行う場合、例えば年賀状などのポストカードだと１００枚レベルの多量の同じプリントを作成することが多い。この場合、いきなり１００枚のプリントを作成するのではなく、まず１枚だけプリントを行い設定した補正パラメータで問題ないかどうかをチェックすることが行われる。オペレータは、プリントを見て適切であれと判断すれば、残りの枚数についてのプリント作成を指令する。適切でないと判断した場合、新たな補正パラメータを設定してプリントを行う。
【０００７】
従来は、この補正パラメータの再設定を行わない場合であっても、再度の同じプリントであるにもかかわらず、プリント用画像データを生成するために、補正パラメータと原画像データとによる同じ画像処理を行ってプリント用画像データを生成していた。このプリント用画像データを生成する処理は、データ量が多くなるため、合成処理に時間を要している。従って、前回と同じプリント用画像データでプリント作成を行うにもかかわらず、無駄な処理を行っていた。
【特許文献１】特開２００３−２８３７９６号公報
【発明の開示】
【発明が解決しようとする課題】
【０００８】
本発明は上記実情に鑑みてなされたものであり、その課題は、同じプリントを作成する場合にプリント用画像データを生成する処理時間を短縮化できる画像作成装置を提供することである。
【課題を解決するための手段】
【０００９】
上記課題を解決するため本発明に係る画像作成装置は、
プリント作成用に入力された原画像データと、原画像データに関して設定された補正パラメータとを用いてプリント用画像データを生成するプリント用画像データ生成手段と、
設定された補正パラメータを保存しておく補正パラメータ保存手段と、
プリント用画像データを保存しておくプリント用画像データ保存手段と、
プリント作成処理を指令するプリント処理指令手段と、
この指令が同じ原画像データについての再度の指令である場合に、今回の指令における補正パラメータと、補正パラメータ保存手段に保存済みの補正パラメータとを比較するパラメータ比較手段と、
この比較の結果、補正パラメータが同じであると判断された場合、プリント用画像データ保存手段に保存されているプリント用画像データを用いてプリント作成を行わせるプリント用画像データ指定手段とを備えていることを特徴とするものである。
【００１０】
この構成による画像作成装置の作用・効果を説明する。原画像データに基づいてプリントを作成する場合、原画像データとこれに関して設定された補正パラメータを用いてプリント用画像データを生成し、この生成されたプリント用画像データを用いてプリント作成が行われる。このプリント用画像データを生成した場合には、補正パラメータを補正パラメータ保存手段に保存し、プリント用画像データをプリント用画像データ保存手段に保存する。プリント作成処理を指令する場合には、再度の同じ原画像データに関するプリント作成指令であれば、補正パラメータが同じであるかどうかを比較する。そして、補正パラメータが同じであると判断されれば、予め保存しておいたプリント用画像データを読み出してプリント作成用に使用することができる。従って、わざわざ同じ画像処理を繰り返す必要がなくなる。その結果、同じプリントを作成する場合にプリント用画像データを生成する処理時間を短縮化できる画像作成装置を提供することができる。
【００１１】
本発明において、プリント用画像データは、原画像データとテンプレートデータとの合成処理により生成されるものであり、補正パラメータには、合成処理を行うための第１補正パラメータが含まれることが好ましい。
【００１２】
原画像データとテンプレートデータとの合成処理は、処理時間を特に要するものであるから、テンプレートデータとの合成を行う場合には、プリント用画像データの生成の時間を大幅に短縮化することができる。
【００１３】
本発明に係る補正パラメータには、原画像データに対して補正を行う第２補正パラメータが含まれ、この第２補正パラメータで原画像データに補正処理を行った補正画像データを保存する補正画像データ保存手段を備え、
前記比較手段により、第２補正パラメータのみ一致していると判断された場合、前記プリント処理実行手段は、保存済みの補正画像データを用いてプリント用画像データを生成することが好ましい。
【００１４】
原画像データとテンプレートデータの合成を行う場合に設定される補正パラメータには、原画像データのみに関する第２補正パラメータも含まれることがある。例えば、原画像データに対する色・濃度の補正値は、第２補正パラメータに相当する。この場合、原画像データと第２補正パラメータにより得られる補正画像データとテンプレートデータとが合成されることになる。そして、この補正画像データを保存しておくようにすれば、補正パラメータのすべてが一致しなくても第２補正パラメータが一致しておれば、予め保存しておいた補正画像データを用いてプリント用画像データを生成することができる。これにより、プリント用画像データを生成するのに要する時間を短縮化することができる。
【発明を実施するための最良の形態】
【００１５】
本発明に係る画像作成装置の好適な実施形態を図面を用いて説明する。図１は、画像作成装置の構成を示す模式図である。この装置は、写真フィルム等の画像形成媒体から画像データを取得して、これに基づいて写真プリントを作成する装置である。
【００１６】
フィルムスキャナー１は、現像済みの写真フィルムに形成されているコマ画像を電子的に読み取り画像データを取得するために設けられる。画像入力部２は、画像データが記録されているデジタルカメラ用の記憶媒体、ＣＲ−Ｒ、ＭＯディスク等の記憶メディアから画像データを取り込む機能を有する。これら入力される画像データは、オリジナルの画像データであり、これを説明の便宜上、原画像データと称する。
【００１７】
入力された原画像データやその他のオーダーに関するデータは、オーダデータ蓄積部３にオーダー単位で保存される。オーダー単位とは、写真フィルム１本単位、記憶メディア１個単位を意味するものである。原画像データ保存手段４には原画像データがオーダー単位で保存される。個々の原画像データにはユニークな識別データが付与され、これを指定することで原画像データ（画像ファイル）を特定することができる。
【００１８】
補正パラメータ保存手段５には、原画像データに関して設定された補正パラメータが保存される。補正パラメータとは、オペレータによる画像処理作業（プレジャッジ）において設定される種々のデータであり、この補正パラメータと原画像データに基づいてプリント作成のためのプリント用画像データを生成することが可能となる。補正パラメータは、個々の原画像データに固有のデータとなるので、原画像データを指定すれば、それに対応付けられた補正パラメータも一意的に決まる。
【００１９】
画像処理部６は、原画像データに対する画像処理作業を行う機能を有しており、ソフトウェアにより構成される。この画像処理作業はオペレータによる作業であり、プレジャッジとも呼ばれるものである。すなわち、写真プリントを作成するにあたり、シミュレーション画像をモニター７に表示させることで、適切なプリントが作成されるか否かを予め判断するものである。このプレジャッジの作業において補正パラメータが設定される。設定された補正パラメータは、先ほどの補正パラメータ保存手段５に保存される。補正パラメータが設定されれば、これと原画像データを用いてプリント用画像データを生成することができるが、これは後述するように画像処理基板（ハードウェアにより構成される）により行われる画像処理である。
【００２０】
ＧＵＩ１０は、グラフィカル・ユーザー・インターフェースであり、モニター画面を通じて画像処理作業に関する種々の入力操作を行うことができる。この入力操作は、キーボードやマウス等の入力手段８により行うことができる。画像処理手段１１は、ソフトウェアによる種々の画像処理の機能を提供する。例えば、原画像データをモニター画面に表示させる場合、サムネイル画像データを生成して表示させる。色・濃度の補正値を入力した場合、表示されているサムネイル画像に補正結果を表示させるための処理を行う。その他の、赤目補正や逆光補正を行った場合も同様である。色・濃度の補正値や、赤目補正、逆光補正のパラメータは、補正パラメータとして保存される。また、プリントサイズの設定を行った場合も補正パラメータとして保存される。
【００２１】
さらにテンプレートデータと原画像データの画像合成処理を行う場合にも、合成処理に関する設定データは補正パラメータとして保存される。テンプレートデータについては、テンプレートデータ保存手段９に保存されている。テンプレートデータは、適宜の記憶媒体から取り込むこともできるし、オリジナルのテンプレートデータを自分で作成することもできる。テンプレート選択手段１２は、テンプレートデータ保存手段９に保存されているテンプレートの中から１つを選択する機能を有する。
【００２２】
プリント処理指令手段１３は、画像処理処理が終了した後に、写真プリントを作成するための指令を与える手段である。この指令に基づき、プリント処理実行手段１４により、原画像データと補正パラメータに基づいてプリント用画像データが生成される。
【００２３】
比較手段１４は、プリント処理指令手段１３により指令が出された場合に、プリント処理の対象の原画像データについての再度のプリント処理であるか否かを判断する。そして、再度のプリント処理の指令である場合、現在設定されている補正パラメータが補正パラメータ保存手段５に保存済みの補正パラメータと同じであるか否かを比較判断する。そして、補正パラメータがすべて同じであると判断された場合は、プリント用画像データ指定手段１５は、予め保存されているプリント用画像データを用いてプリント作成処理を行わせるようにする。
【００２４】
現補正パラメータ一時保存手段２０には、現在モニター画面において設定されている補正パラメータが一時的に保存される保存手段である。ここに保存される補正パラメータは、補正対象となっている原画像データと対応付けられて保存される。従って、同じ原画像データについての補正パラメータが補正パラメータ保存手段５と現補正パラメータ一時保存手段２０の両方に保存されていれば、両社を対比判断することができる。
【００２５】
画像処理基板２１（プリント処理実行手段に相当）は、受信メモリ２２と画像処理手段２３と送信メモリ２４とファームウェア２５の機能を備えている。画像処理基板２１は、ハードウェアを中核として構成されるものであり、原画像データと補正パラメータを用いてプリント用画像データを生成する機能を有する。プリント用画像データは実際に画像露光に使用される画像データであり、そのデータ量も非常に大きくなる。従って、ハードウェアにより構成することで、処理時間を短縮化している。
【００２６】
受信メモリ２２は、処理対象となっている原画像データと補正パラメータを受け取る。画像処理手段２３は、ハードウェアにより構成され、補正パラメータに基づいてファームウェア２５よる処理内容を設定することができ、これに基づいてプリント用画像データを生成するための処理が実行される。生成されたプリント用画像データは、送信メモリ２４を介して露光エンジンへと転送される。
【００２７】
また、生成されたプリント用画像データは、プリント用画像データ保存手段２６に保存される。これは、後で同じプリント用画像データによるプリント作成を行う場合には、このデータが使用されるので、データ生成時間を短縮化することができる。
【００２８】
次に、写真プリントを作成するためのプリンタプロセッサーの機能を説明する。ペーパーマガジン３１には、写真感光材料であるペーパーがロールの形態で格納されている。ペーパーマガジン３０から、長尺状のペーパーを引き出していき、ペーパーカッター３２により所定のプリントサイズにカットされる。露光エンジン３０は、画像処理基板２１により生成されたプリント用画像データを受け取り、これに基づいてペーパーの入力手段に画像を焼付露光する。この画像が焼付露光されたペーパーは、現像処理部３３及び乾燥処理部３４にて所定の処理が施された後、仕上がりの写真プリントとして装置外部に排出される。
【００２９】
＜プレジャッジ作業１＞
次に、図１に示す画像作成装置を用いて画像処理作業（プレジャッジ）を行う場合のモニター画面の構成例を説明する。図２は、通常の写真プリントを作成する場合の画面構成例を示す図である。
【００３０】
図２において、入力された原画像データの６コマ分が表示される。表示される画像は、原画像データに基づいて作成されたサムネイル画像である。なお、１画面に表示される画像の枚数は６コマでなくてもよく、４コマあるいは８コマ、１２コマなど、オペレータの都合に応じて設定変更することができる。６コマの画像のうち、作業対象となっている画像には枠６０が表示される。他の画像をクリックすれば、その画像に枠６０が移動する。オペレータは、このモニター画面を見ながら適切な写真プリントが作成されるか否かを判断する。
【００３１】
入力エリア６１は、色・濃度の補正値を入力するためのエリアである。色（Ｙ，Ｍ，Ｃ）や濃度について補正値をエリア内に入力することができ、入力された補正値は補正パラメータとして扱われる。入力エリア６２は、プリント枚数を設定するためのエリアである。デフォルトで１枚が設定されているが、これを変更することができる。また、ボタン６３をクリックすると、別ウィンドウが起動し、赤目補正、逆光補正、階調補正、トリミングなどの設定を行うことができる。設定を行った場合、それらは補正パラメータとして扱われる。例えば赤目補正に関する補正パラメータとしては、赤目となっている人間の目の位置座標、大きさなどが補正パラメータとなる。
【００３２】
同じオーダー内の他の画像を表示させたい場合は、前ページボタン６４や後ページボタン６４をクリックすればよい。画面の左下には、プリントボタン６５（プリント処理指令手段に相当）が設けられており、これをクリックすると、プリント作成処理を実行させることができる。すなわち、原画像データと設定された補正パラメータに基づいてプリント用画像データの生成を行う処理に移行することができる。
【００３３】
次に、テンプレートを用いて画像合成を行う場合の画面構成例を図３、図４により説明する。テンプレートとは、これと画像を合成した合成画像を写真プリントとして作成するために用いられる。例えば、ポストカード、カレンダープリント、名刺プリント、フレームプリント等を作成する際に使用されるものである。テンプレートデータは、テンプレートデータ保存手段９に予め保存されている。
【００３４】
図３（ａ）は、テンプレートを選択するための画面構成例であり、多数のテンプレート画像５０がサムネイル画像として表示される。その中の１つを選択して、選択ボタン５１をクリックすることでテンプレートデータが読み出される。図３（ｂ）は選択したテンプレートデータを表示させた状態である。テンプレート画像５２が表示されており、この中に任意の画像を嵌め込み合成することができる。嵌め込み対象となっている画像は、画像選択エリア５３の中から選択することができる。このエリア５３には、選択対象となっている画像がサムネイル画像の形で表示されている。これは原画像データに基づいて作成されたものである。選択された画像をマウスで移動させることで、テンプレート画像内の任意の位置に置くことができる。画像を選択する方法は、適宜の方法で行うことができる。嵌め込み合成する画像の大きさや位置座標については、微修正により調整することができる。設定された画像の大きさや位置座標は、補正パラメータとして扱われる。
【００３５】
図４（ａ）は、画像の嵌め込みを確定させた状態である。この状態で更に修正を行うことができる。設定エリア５４は、画像に対する色・濃度の補正値を入力するためのエリアであり、その機能については図２において説明したのと同じである。設定エリア５５は、嵌め込み画像の回転処理、反転処理、赤目補正、シャープネス補正を行うためのエリアである。設定エリア５６は、カラー、モノクロ、セピアの設定を行うためのエリアである。設定エリア５７は、文字入力設定などを行うためのエリアである。図４（ｂ）は、設定エリア５７で文字入力を選択した場合の画面構成例であり、テキストボックス５８に文字を入力することができる。画像内における文字を入力する位置、文字の色、フォントなども選択することができる。以上のように設定エリアにおいて設定されたデータは、補正パラメータとして扱われる。
【００３６】
設定エリア５９には、現在表示されている合成画像についてのプリント枚数を設定する。プリントボタン４９をクリックすると、表示されている画像についてプリント作成処理を行うことができる。なお、プリント枚数は、プリントボタン４９をクリックした際に、別途枚数入力画面を表示して、必要なプリント枚数を入力するようにしてもよい。
【００３７】
＜プリント作成手順＞
次に、プリントを作成する場合の手順を図５のフローチャートにより説明する。ここでは、テンプレートデータと原画像データの合成を行う場合について説明する。図４（ｂ）に示すように、合成処理のための種々の設定が終了すればプリントボタン４９をクリックすることで、プリント作成処理に移行することができる（＃１，２）。ただし、ポストカードの場合は、同じプリントを大量に作成することがあるので、念のために１枚だけ仕上がりを確認するためのプリントを行う。この場合は、プリント枚数を１枚に設定してプリント作成を行う。
【００３８】
プリントボタン４９をクリックすると、前回と同じ画像（嵌め込み画像）についてのプリント指令か否かを判断する（＃３）。すなわち、同じ原画像データについての再度のプリント指令か否かを判断する。再度の指令ではない場合は、今回の補正パラメータと嵌め込み対象に係る原画像データに基づいてプリント用画像データを生成する（＃５）。この場合は、画像処理基板２１によりプリント用画像データの生成処理が行われる。また、このとき使用される補正パラメータは、現補正パラメータ一時保存手段２０に保存されている補正パラメータである。そして、補正パラメータについては、補正パラメータ保存手段５に保存され、次回同じ画像について再度プリントを行おうとするときに、比較手段１４による比較対照とされる。また、このとき生成されたプリント用画像データは、プリント用画像データ保存手段２６に保存される（＃６）。画像処理基板２１により生成されたプリント用画像データは、露光エンジン３０へ転送されペーパーへの画像の焼付露光が行われることになる。
【００３９】
ステップ＃３において、同じ画像についてのプリントであると判断された場合は、ステップ＃４へ移行する。先ほど、１枚だけプリント作成を作成することについて説明した。この作成された写真プリントを見て、オペレータは仕上がり状態が適切であるか否かを判断する。適切であると判断した場合には、図４（ｂ）の画面においてプリント枚数の設定のみを依頼枚数（例えば１００枚）に変更して再度同じ画像についてのプリントを行うことになる。また、仕上がり状態が適切でないと判断した場合には、該当する補正パラメータの設定を変更するために作業をやり直せばよい。その上で再度プリントボタンをクリックすることになる。
【００４０】
ステップ＃４において、再度のプリントを行おうとした場合、補正パラメータが同じであるか否かを比較判断する（＃４）。これは、現補正パラメータ一時保存手段２０に保存されている現時点における補正パラメータと、補正パラメータ保存手段５に保存済みの前回の補正パラメータとを比較する。そしてすべて一致すると判断された場合には、ステップ＃７へ移行する。そして一部にでも一致しない部分があれば、ステップ＃５に移行して、先ほどと同じように画像処理基板２１によるプリント用画像データの生成処理を実行する。
【００４１】
また、補正パラメータがすべて一致する場合は、同じプリント用画像データを生成する処理は行う必要がなく、プリント用画像データ保存手段２６に保存されているプリント用画像データを読み出し、これを露光エンジン３０に転送すればよい。これにより、画像処理に要する時間を大幅に短縮化することができ、プリント作成の処理効率を高めることができる。
【００４２】
＜プリント用画像データ生成の別実施形態＞
次に、プリント用画像データを生成する場合の別実施形態を説明する。先ほどは、すべての補正パラメータが一致する場合にのみ前回のプリント用画像データを読み出すことで、処理時間の短縮化を図っていた。しかし、すべてが一致していなくても部分的に一致しておれば、処理時間を短縮化することができる。その例を説明する。
【００４３】
まず補正パラメータとして、テンプレートデータと原画像データの合成処理に関連する第１補正パラメータと、嵌め込み対象となる原画像データに対する第２補正パラメータとに分けて考える。この場合、比較手段１４の機能は、すべての補正パラメータが一致しているか否かを判断することのほか、第２補正パラメータのみが一致しているか否かも判断する。第１補正パラメータとは、既に説明したような、嵌め込むべき画像の大きさ（拡大率）、位置座標、合成処理される文字の位置座標、フォント、大きさなどである。また、第２補正パラメータとは、原画像データに対して行われた色・濃度の補正値や赤目補正、逆光補正に関する補正パラメータである。
【００４４】
そこで、原画像データに対して第２補正パラメータによる補正処理を施した補正画像データを保存する補正データ保存手段を設ける。すなわち、１回目のプリント作成処理において、プリント用画像データと補正パラメータの他に補正画像データも保存しておく。そして、比較手段１４により第２補正パラメータのみが一致すると判断された場合には、この補正画像データとテンプレートデータとの合成処理を画像処理基板２１により実行する。これにより、補正画像データを生成するに要する処理時間を短縮化することができる。
【００４５】
＜別実施形態＞
図５においては、テンプレートデータと合成処理を行う場合について、補正パラメータの比較を行うことを説明したが、テンプレートデータとの合成処理を行わない場合についても、同じように処理を行うことができる。例えば、集合写真で多数の同じプリント処理を行う場合などに本発明の構成は有効である。
【００４６】
本発明における保存手段は、ハードディスクや半導体メモリなどの適宜の記憶装置を使用することができ、目的に応じて選択することができ、特定のタイプの記憶装置に限定されるものではない。
【図面の簡単な説明】
【００４７】
【図１】画像作成装置の構成を示す模式図
【図２】通常の写真プリントを作成する場合の画面構成例を示す図
【図３】テンプレートとの合成処理を行う場合の画面構成例を示す図
【図４】テンプレートとの合成処理を行う場合の画面構成例を示す図
【図５】プリント作成時の手順を示すフローチャート
【符号の説明】
【００４８】
１        フィルムスキャナー
２        画像入力部
３        オーダデータ蓄積部
４        原画像データ保存手段
５        補正パラメータ保存手段
６        画像処理部
９        テンプレートデータ保存手段
１１      画像処理手段
１２      テンプレート選択手段
１３      プリント処理指令手段
１４      比較手段
１５      プリント用画像データ指定手段
２０      現補正パラメータ一時保存手段
２１      画像処理基板
２３      画像処理手段
２６      プリント用画像データ保存手段
【図１】
2006157085.tif 000003
【図２】
2006157085.tif 000004
【図３】
2006157085.tif 000005
【図４】
2006157085.tif 000006
【図５】
2006157085.tif 000007